(57)【要約】【課題】本発明は、異なる光源色の発光輝度をそれぞれ調節でき、製品としての多様性を有する照明装置を提供することを課題とする。【解決手段】本発明の照明装置は、照明ユニット２１及びコントロールユニット２２を備える。照明ユニット２１は複数の発光ダイオード２１１を有する。発光ダイオード２１１は、異なる色で発光するものが隣接して設置される。コントロールユニット２２は発光ダイオード２１１に電気的に接続されて、それぞれ異なる色の発光ダイオード２１１を調節する。【選択図】図２
2008293946.tif 000002
【特許請求の範囲】
【請求項１】
異なる色で発光する複数の発光ダイオードが隣接して設置される照明ユニットと、
前記発光ダイオードに電気的に接続されて、それぞれ異なる色で発光する前記発光ダイオードを調節、コントロールするコントロールユニットとを備える、照明装置。
【請求項２】
前記コントロールユニットは輝度コントロールエリアを有し、前記輝度コントロールエリアはタッチパネルまたはつまみを有することを特徴とする、請求項１に記載の照明装置。
【請求項３】
前記輝度コントロールエリアは、長方形、円形、のこぎり型、螺旋形、Ｗ字型、Ｚ字型、または不規則型に配置されていることを特徴とする、請求項２に記載の照明装置。
【請求項４】
前記コントロールユニットはディスプレーエリアを有し、前記ディスプレーエリアに前記照明ユニットの輝度を表示することを特徴とする、請求項１に記載の照明装置。
【請求項５】
前記コントロールユニットは電源のＯＮ，ＯＦＦをコントロールするためのスイッチを有し、前記スイッチはタッチスイッチ、押しボタン式スイッチ、つまみ式スイッチであることを特徴とする、請求項１に記載の照明装置。
【請求項６】
さらに、ベース及びランプシェードを備え、このうち、前記ランプシェードは前記ベース上に設置され、さらに前記コントロールユニットは前記ベースの表面に設置され、前記照明ユニットは前記ランプシェード内に設置されることを特徴とする、請求項１に記載の照明装置。
【請求項７】
前記発光ダイオードは、少なくとも１個の赤色発光ダイオード、緑色発光ダイオードまたは青色発光ダイオードを備えることを特徴とする、請求項１に記載の照明装置。
【請求項８】
前記照明ユニットは、さらに回路板を備え、前記発光ダイオードは前記回路板に設置されることを特徴とする、請求項１に記載の照明装置。
【請求項９】
前記コントロールユニットはコントロール回路を有し、前記コントロール回路はそれぞれ異なる色の前記発光ダイオードの輝度または色温度をコントロールすることを特徴とする、請求項１に記載の照明装置。
【請求項１０】
前記照明装置は、電気スタンド、ブラケット型ライト、ネオン、ペンダントライトであることを特徴とする、請求項１に記載の照明装置。
【発明の詳細な説明】
【技術分野】
【０００１】
本発明は、照明装置に関し、特に発光ダイオードを有する照明装置に関する。
【背景技術】
【０００２】
照明装置は日常生活に欠かすことのできない生活用品であり、蛍光灯、照明灯、電気スタンド、ペンダントライト、ブラケット型ライトまたはネオン等、いずれもどこにでも見られる照明装置である。照明装置は闇に光明をもたらすという効果を有する以外に、生活を多彩にし、変化をもたらすという効果を有する。
【０００３】
図１に示したのは、従来の照明装置における電気スタンド１の構造を示した図である。電気スタンド１は主にベース１１、支柱アーム１２及び照明ユニット１３を備える。支柱アーム１２はベース１１の上に設置され、照明ユニット１３は支柱アーム１２に固定される。このうち、照明ユニット１３はランプ１３１及びランプシェード１３２を有し、ランプ１３１は照明時に必要な光線を提供する。ランプシェード１３２はランプ１３１を覆い保護すると同時に、ランプ１３１が発する光線を下に向かって放出する。ベース１１はスイッチ１１１及びつまみ１１２を有し、スイッチ１１１は外部電源伝導コード１４に電気的に接続されて、ランプ１３１の明るさをコントロールする。つまみ１１２は支柱アーム１２中に設置された電源伝導コード１２１を介して、照明ユニット中１３のランプ１３１に電気的に接続されて、電源伝導コード内１２１内を通過する電流量をコントロールすることで、ランプ１３１が発する光線の明るさをコントロールする。
【発明の開示】
【発明が解決しようとする課題】
【０００４】
しかしながら、つまみ１１２を利用して電気スタンド１の明るさを調節する方法は、現代人のニーズには合わないだけでなく、従来の照明装置が提供する光源は全て同一色であり、多様性を求める消費者のニーズに応えることが不可能である。したがって、本発明は、異なる光源色の発光輝度をそれぞれ調節でき、製品としての多様性を有する照明装置を提供することを課題とする。
【課題を解決するための手段】
【０００５】
上記課題を解決するため、本発明は異なる光源色の発光輝度をそれぞれ調節でき、製品としての多様性を有する照明装置を提供することを目的とする。
【０００６】
上記目的を達成するため、本発明の照明装置は、照明ユニット及びコントロールユニットを備える。照明ユニットは異なる色で発光する複数の発光ダイオードを有し、これらの発光ダイオードは隣接して設置される。コントロールユニットは発光ダイオードに電気的に接続されて、それぞれ異なる色で発光する発光ダイオードを調節する。
【０００７】
上記のように、本発明の照明装置は、コントロールユニットによって照明ユニットの異なる色で発光する発光ダイオードを調節する。従来の技術と比較すると、発光ダイオードは、消費電力が低い、寿命が長い、色の飽和度に優れる、発光効率が高い、色温度を調節できる等の優れた点を有する。頻繁に光源を交換する無駄を回避し、さらに、安定した光線の提供、使用効率の向上、節電、使用コストの抑制が可能である。また、本発明は、コントロールユニットによって異なる色の発光ダイオードを調節することで、使用者が照明装置の応用状況や種類に応じて、必要とする照明装置及び光が混合した後の色の調節が可能である。したがって、製品の実用性及び消費者の購買意欲を高めることができる。
【発明の効果】
【０００８】
本発明の照明装置は、コントロールユニットによって照明ユニットの異なる色で発光する発光ダイオードを調節する。発光ダイオードは、消費電力が低い、寿命が長い、色の飽和度に優れる、発光効率が高い、色温度を調節できる等の優れた点を有する。頻繁に光源を交換する無駄を回避し、さらに、安定した光線の提供、使用率の向上、節電、使用コストの抑制が可能である。また、本発明は、コントロールユニットによって異なる色の発光ダイオードを調節することで、使用者が照明装置の応用状況や種類に応じて、必要とする照明装置及び光が混合した後の色の調節が可能である。したがって、製品の実用性及び消費者の購買意欲を高めることができる。
【発明を実施するための最良の形態】
【０００９】
以下、図面を参照しながら、本発明の好適な実施例における照明装置について説明する。
【００１０】
図２は、本発明の好適な実施例の照明装置２の構造を示した図である。本実施例において、照明装置２は電気スタンドを例とする。当然、本実施例の照明装置２は、ブラケット型ライト、ペンダントライト、蛍光灯、またはネオンも可能である。照明装置２は照明ユニット２１及びコントロールユニット２２を備え、照明ユニット２１はコントロールユニット２２に電気的に接続される。照明ユニット２１はランプシェードＡ内に設置され、ランプシェードＡはベースＤの上に設置され、コントロールユニット２２はベースＤの表面Ｄ1に設置される。
【００１１】
照明ユニット２１は照明時に必要な光線を提供する。照明ユニット２１は複数の発光ダイオード２１１を有し、この発光ダイオード２１１は回路板２１２に設置される。このうち、発光ダイオード２１１の色は赤色発光ダイオード、緑色発光ダイオード、青色発光ダイオード、黄色発光ダイオードまたは白色発光ダイオードである。当然、発光ダイオード２１１は使用者の必要に応じていずれか１色であってもよく、または任意の複数の色の混合も可能である。各発光ダイオード２１１は隣接して設置されて、異なる色の発光ダイオード２１１によって、異なる比率の光線混合光が提供され、混合によって白色光を発生させる外、さらに混合によって異なる色の光線が発生されることで各種の照明効果を生み出す。
【００１２】
コントロールユニット２２は輝度コントロールエリア２２１、ディスプレーエリア２２２及びスイッチ２２３を有する。このうち、輝度コントロールエリア２２１は、照明ユニット２１中の回路板２１２に電気的に接続されて、照明ユニット２１の総輝度または異なる色で発光する発光ダイオード２１１、例えば、緑色発光ダイオード、青色発光ダイオード、黄色発光ダイオードまたは白色発光ダイオードのそれぞれの発光強度を調整する。さらに、コントロールユニット２２は異なる形状、様式が可能である。その内容を以下に説明する。
【００１３】
図３Ａから図３Ｃまでは、図２に示すコントロールユニットと異なる様式のコントロールユニット２２を示した図である。例えば、図３Ａ及び図３Ｃに示したように、コントロールユニット２２ａの輝度コントロールエリア２２１ａ、２２１ｃはタッチパネルである。当然、図３Ｂに示したように、輝度コントロールエリア２２１ｂはつまみ式とすることも可能である。輝度コントロールエリア２２１ａ、２２１ｃがタッチパネルである時、消費者は手の指またはタッチペンで輝度コントロールエリア２２１ａに触れることにより、照明ユニット２１の異なる色の発光ダイオード２２１の照明輝度を調節する。輝度コントロールエリア２２１ｂがつまみである時は、消費者はつまみを回転させる方式によって、照明ユニット２１の異なる発光ダイオード２１１の照明輝度を調節する。
【００１４】
このうち、輝度コントロールエリア２２１ａの形状は制限を受けず、長方形（図３Ａ、図３Ｃのとおり）、のこぎり型（図示はされない）、螺旋形（図示はされない）、円形（図示はされない）、Ｗ字型（図示はされない）、Ｚ字型（図示はされない）、ｅ字型（図示はされない）または不規則型が可能である。
【００１５】
図３Ａにおいて、輝度コントロールエリア２２１ａは、照明ユニット２１の発光ダイオード２２１の色の種類によって、異なる輝度コントロールエリアを有する。例えば、照明ユニット２１の発光ダイオード２１１は４３０ｎｍ、５５５ｎｍ、６３０ｎｍの三つの波長を有する発光ダイオード（Ｂ、Ｇ、Ｒ）である。消費者は、照明装置２を電気スタンドとして使用する場合、赤、緑、青の三色の発光ダイオードを混合した光を作ることができ、電流の大きさによって白色光、黄色光またはその他の好みの色を形成させる。照明装置２を特定の色のネオンとして使用する場合は、例えば、赤や緑の光源を強調して、赤みの強いまたは緑の強い光等を形成させる。あるいは、図３Ｂに示したように、輝度コントロールエリア２２１ｂは、つまみ方式によって各色の発光ダイオード２１１の発光輝度または複数の発光ダイオード２１１を混合させて総輝度を調節する。
【００１６】
本発明のコントロールユニット２２は、輝度以外にも、コントロール回路（図示はされない）と照明ユニット２１の回路板２１２が電気的に接続されることで、照明ユニット２１の異なる色の発光ダイオード２１１の輝度及び色温度を調節する。例えば、照明ユニット２１は、赤、緑、青の三種類の異なる色について、それぞれの色の直列発光ダイオード（LED series ）（図示はされない）を有し、さらに、各直列発光ダイオード（LED series）は抵抗器（図示はされない）を介して並列に接続される。消費者は各抵抗器の抵抗値の変化によって個別に発光ダイオードのシリーズを通過する電流の大きさを調整する。
【００１７】
例えば、赤色の直列発光ダイオードを通過する電流値が大きければ大きいほど、赤色の直列発光ダイオードによって発生される輝度も大きく、色温度も高い。逆に、赤色の直列発光ダイオードを通過する電流値が小さければ小さいほど、赤色の直列発光ダイオードによって発生される輝度も小さく、色温度も低い。したがって、消費者は上述の方式またはその他の従来の回路コントロール方式によって、照明ユニット２１における異なる発光ダイオードまたは直列発光ダイオードを調節することが可能である。さらに、発光ダイオードの輝度及び色温度を変化させることで、季節または好みに応じて、照明装置２に異なる効果を生じさせることが可能である。
【００１８】
また、図３Ｃに示したように、輝度コントロールエリア２２１ｃは、複数のセクションに区分することが可能である。異なるセクションは輝度のレベルを意味する。当然、区分されるセクションの数は、実際の必要に応じて調整して、増減することができる。このように、消費者は簡単に輝度コントロールエリア２２１ｃに表示されたセクションによって必要な輝度を決定することができ、タッチ方式で輝度の変化が調節できる。
【００１９】
例えば、図３Ｃに示したように、消費者が照明ユニット２１の緑の光源（図示はされない）の輝度をレベル１からレベル３に変更したい場合、コントロールユニット２２ｃの回路板(図示はされない)の定義によって、輝度コントロールエリア２２１ｃにおいて緑の光源を示すレベル１のセクションＣ１にタッチする。そして、輝度コントロールエリア２２１ｃに沿って、レベル３のセクションＣ３まで移動する。このうち、レベル１のセクションＣ１からレベル３のセクションＣ３への方向は、輝度が大きくなる方向である。あるいは、消費者は、輝度コントロールエリア２２１ｃの緑の光源を示すいずれかのセクションにタッチし、ただ輝度コントロールエリア２２１ｃに沿って二つのセクションの距離を移動するだけでよい。そうすることで、照明ユニット２１の照明輝度は元のレベル１からレベル３に変更できるのである。当然、消費者は直接輝度コントロールエリア２２１ｃのレベル３セクションＣ３にタッチすることでも、緑の光源の照明輝度をレベル３に調節することが可能である。すなわち、輝度コントロールエリア２２１ｃを使用して照明ユニット２１の照明輝度を調節する方法は、上記のいずれの方法にも限られるわけではなく、タッチコントロール方式を使用するいかなる方法でも、照明ユニット２１の照明亮輝度を調節することが可能である。これらはいずれも本実施例の範囲である。
【００２０】
さらに、図２に示したように、ディスプレーエリア２２２は照明ユニット２１に電気的に接続されて、照明ユニット２１の照明輝度レベルを表示する。このうち、ディスプレーエリア２２２は液晶表示パネルであり、例えば、液晶表示パネル（図３Ａ２２２ａ及び図３Ｂの２２２ｂは表示パネルである）、複数の光源（図示はされない）または表示パネルと発光ダイオードの組み合わせ（図３Ｃの２２２ｃに示したとおり）によって、輝度の大きさを表示する。また、ディスプレーエリア２２２が照明ユニット２１の輝度変化を受けた時、図３Ａから３Ｃに示したように、照明ユニット２１における各発光ダイオード２１１の照明輝度レベルを液晶表示パネルに表示する。あるいは、発光ダイオード２１１の発光数量を利用して量化表示する。さらには、図３Ｃに示したように、同時に表示パネル及び発光ダイオードを利用して照明ユニット２１の各発光ダイオード２１１の照明輝度レベルを表示させる。
【００２１】
さらに、ディスプレーエリア２２２が表示パネル２２２ａ（図３Ａに示したとおり）である時、その表示方式は表示パネル２２２ａ中の色の明暗の変化を利用する。あるいは、数字方式（図３Ｃの２２２ｃに示すとおり）によっても、各発光ダイオード２１１の照明輝度レベルを表示することが可能である。当然、表示パネルは両者同時に使用した表示方式でも可能である。すなわち、表示パネルを使用して照明ユニット２１の照明輝度を表示する方法は上記のいずれかの方法に制限されず、いかなる表示パネルの使用によって照明ユニット２１の照明輝度レベルを表示する方法も全て本実施例の範囲である。
【００２２】
図２に示したように、スイッチ２２３はコントロールユニット２２の電源入力端子２２４に電気的に接続されることで、外部電源２３に電気的に接続されて、照明装置２のＯＮまたはＯＦＦをコントロールする。このうち、スイッチ２２３は、タッチスイッチ（図３Ｂの２２３ｂに示すとおり）、つまみ式スイッチ（図３Ａの２２３ａに示すとおり）または押しボタンスイッチ（図３Ｃの２２３ｃに示すとおり）である。また、スイッチ２２３はいかなる位置にも設置が可能である。
【００２３】
このほか、コントロールユニット２２はさらにシチュエーションタッチコントロールエリア（図示はされない）を有する。照明ユニット２１の種類が異なることによって、シチュエーションタッチコントロールエリアは、異なるシチュエーションモードの複数のタッチボタン（図示はされない）を有する。例えば、照明ユニット２１が複数の赤色発光ダイオード、青色発光ダイオード及び緑色発光ダイオードからなる場合は、シチュエーションコントロールスイッチエリアが、照明シチュエーションコントロールボタン、読書シチュエーションコントロールボタン、睡眠シチュエーションコントロールボタンまたはキャンドルシチュエーションボタン等を有する。所定のパラメーターによって、異なる色及び異なる輝度の光線を混合して発光することにより、消費者が異なる状況において速やかに必要な環境様式を選択することができる。
【００２４】
さらに、図４Ａから図４Ｃまでを参照しながら、本発明の実施例の特徴をさらに詳しく説明する。以下に、例を挙げて本発明の好適な実施例における図３Ａのコントロールユニット２２ａの操作過程を説明する。本実施例において、照明ユニット２１は複数の赤色発光ダイオード、緑色発光ダイオード及び青色発光ダイオード（図示はされない）を有し、さらに各発光ダイオードは隣接して設置される。
【００２５】
まず、消費者は、コントロールユニット２２ａに設置されたスイッチ２２３ａを回転させて照明装置２を作動させる。
【００２６】
次に、図４Ａに示したように、消費者が照明装置２が発する光線をもっと赤くしたい場合は、輝度コントロールエリア２２１ａの赤を示すセクションＲにタッチして、明るさが増す方向に移動させることで、赤の発光ダイオードの輝度レベルは消費者がタッチしたエリアに伴って大きくなる。
【００２７】
図４Ｂに示したように、消費者が緑の発光ダイオードの照明輝度が不足であり、赤の発光ダイオードの照明輝度が明るすぎると感じた場合、輝度コントロールエリア２２１ａにおいて緑を示すセクションＧにタッチした後、明るさが増す方向に移動させる。次に、輝度コントロールエリア２２１ａにおいて赤を示すセクションＲにタッチし、その明るさが落ちる方向に移動させることで、緑の発光ダイオードの照明輝度レベルが消費者がタッチしたエリアに伴って大きくなり、逆に赤の輝度が落ちる。
【００２８】
図４Ｃに示したように、消費者が青の発光ダイオードの照明輝度が不足であり、緑の発光ダイオードの照明輝度が明るすぎると感じた場合、輝度コントロールエリア２２１ａにおいて青を示すセクションＢにタッチした後、明るさが増す方向に移動させる。次に、輝度コントロールエリア２２１ａにおいて緑を示すセクションＧにタッチし、その明るさが落ちる方向に移動させることで、青の発光ダイオードの照明輝度レベルが消費者がタッチしたエリアに伴って大きくなり、逆に緑の発光ダイオードの照明輝度が落ちる。
【００２９】
すなわち、異なる色を示す長方形の輝度コントロールエリア２２１ａをタッチして、異なる方向に異なる発光ダイオードの照明輝度の大きさを調節する方法も、照明輝度を調節する方法の一つである。
【００３０】
上記のように、本発明の照明装置は、コントロールユニットによって照明ユニットの異なる色の発光ダイオードを調節する。従来の技術と比較すると、発光ダイオードは、消費電力が低い、寿命が長い、色の飽和度に優れている、発光効率が高い、色温度が調整できる等の優れた特徴を有する。頻繁に光源を交換する必要がないだけでなく、安定した光線を提供し、使用効率を高め、節電を図り、同時に使用コストの抑制も可能である。また、コントロールユニットによって異なる色の発光ダイオードを調整することで、消費者が照明装置の応用状況や種類に応じて、必要とする照明装置及び光が混合した後の色の調節が可能である。したがって、製品の実用性及び消費者の購買意欲を高める。
【００３１】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００３２】
【図１】従来の照明装置の構造を示した図である。
【図２】本発明の好適な実施例の照明装置の構造を示した図である。
【図３Ａ】図２における異なる状態のコントロールユニットを示した図である。
【図３Ｂ】図２における異なる状態のコントロールユニットを示した図である。
【図３Ｃ】図２における異なる状態のコントロールユニットを示した図である。
【図４Ａ】本発明の好適な実施例における図３Ａのコントロールユニットの操作を示した図である。
【図４Ｂ】本発明の好適な実施例における図３Ａのコントロールユニットの操作を示した図である。
【図４Ｃ】本発明の好適な実施例における図３Ａのコントロールユニットの操作を示した図である。
【符号の説明】
【００３３】
１  電気スタンド
１１、Ｄ  ベース
１１１、２２３、２２３ａ、２２３ｂ、２２３ｃ  スイッチ
１１２  つまみ
１２  支柱アーム
１２１  電源伝導コード
１３、２１  照明ユニット
１３１  ランプ
１３２、Ａ  ランプシェード
１４、２３  外部電源伝導コード
２  照明装置
２１１  発光ダイオード
２１２  回路板
２２、２２ａ、２２ｂ、２２ｃ  コントロールユニット
２２１、２２１ａ、２２１ｂ、２２１ｃ  輝度コントロールエリア
２２２、２２２Ａ、２２２Ｂ、２２２Ｃ  ディスプレーエリア
２２４  電源入力端子
Ｄ１  表面
Ｒ、Ｇ、Ｂ  セクション
Ｃ１〜Ｃ６  輝度レベル
【図１】
2008293946.tif 000003
【図２】
2008293946.tif 000004
【図３Ａ】
2008293946.tif 000005
【図３Ｂ】
2008293946.tif 000006
【図３Ｃ】
2008293946.tif 000007
【図４Ａ】
2008293946.tif 000008
【図４Ｂ】
2008293946.tif 000009
【図４Ｃ】
2008293946.tif 000010